(57)【要約】      （修正有）【課題】携帯電話を遠隔端末として応用することで、随時編集を行うことが可能な遠隔編集用カード印刷システムを提供する。【解決手段】カードプリンタ１０、レイアウト編集機２０及び携帯電話側アプリケーションプログラム（ＡＰＰ）３０などの部品を備える。カードプリンタ１０は、主に特定サイズのカードに印刷するためのプリンタである。カードプリンタ１０は、上流の指令を印刷の指令に変換翻訳することができるトランスレータ１１と、コンピュータやノートパソコンなどの電子情報装置１００またはクラウド装置と信号接続を行うための送受信機１２とを有し、印刷の指令に基づいてカードプリンタ１０自身の印刷機構１３を用いてカード上に印刷する。レイアウト編集機２０は、電子情報装置１００またはクラウド装置内に取り付けられる。ＡＰＰ３０は、携帯電話２００内に内蔵される。【選択図】図２
0003218356.tif 000002
【実用新案登録請求の範囲】
【請求項１】
特定サイズのカードを印刷するためのカードプリンタと、電子情報装置内に取り付けられるレイアウト編集機と、携帯電話内に内蔵される携帯電話側アプリケーションプログラムとを備え、
前記カードプリンタは、上流の指令を印刷の指令に変換翻訳するためのトランスレータと、次の段階の前記電子情報装置と信号接続を行うための送受信機とを有し、
前記印刷の指令に基づいて前記カードプリンタ自身の印刷機構を用いて前記カード上に所要の図案または文字を印刷し、
前記レイアウト編集機により、使用者が前記カードに印刷する所要のレイアウトを編集することができるようにさせ、レイアウト編集指令を生成すると共に、関連する印刷指令を下し、
前記携帯電話の所有者にダウンロードされ、前記携帯電話に内蔵される前記携帯電話側アプリケーションプログラムは、前記携帯電話に内蔵される送受信端を経由してネットワークを介して前記電子情報装置に内蔵される送受信端に連結し、使用者が前記携帯電話に内蔵される出力入力端を経由して前記カードを編集する所要のレイアウト編集指令を下すと共に、関連する印刷指令を下し、そして前記携帯電話の送受信端を経由して前記ネットワークを介して前記電子情報装置の送受信端に連結して、前記電子情報装置に位置する前記レイアウト編集機に受信され、
前記レイアウト編集機は、前記携帯電話側アプリケーションプログラムからの前記レイアウト編集指令と前記印刷指令を前記電子情報装置の送受信端を経由して前記カードプリンタに伝送し、前記カードプリンタの前記送受信機がこれらの指令を受信した後に、前記指令を印刷の指令に変換翻訳するために、前記カードプリンタの前記トランスレータに伝送することを特徴とする、遠隔編集用のカード印刷システム。
【請求項２】
前記カードは、名刺、デビットカードまたは電子カードを含む特定のフォーマットを有するカードから選択されることを特徴とする、請求項１に記載のカード印刷システム。
【請求項３】
前記電子情報装置は、コンピュータまたはノートパソコンであることを特徴とする、請求項１に記載のカード印刷システム。
【請求項４】
特定サイズのカードを印刷するためのカードプリンタと、クラウド装置内に取り付けられるレイアウト編集機と、携帯電話内に内蔵される携帯電話側アプリケーションプログラムとを備え、
前記カードプリンタは、上流の指令を印刷の指令に変換翻訳するためのトランスレータと、次の段階の前記クラウド装置と信号接続を行うための送受信機とを有し、
前記印刷の指令に基づいて前記カードプリンタ自身の印刷機構を用いて前記カード上に所要の図案または文字を印刷し、
前記レイアウト編集機により、使用者が前記カードに印刷する所要のレイアウトを編集することができるようにさせ、レイアウト編集指令を生成すると共に、関連する印刷指令を下し、
前記携帯電話の所有者にダウンロードされ、携帯電話に内蔵される前記携帯電話側アプリケーションプログラムは、前記携帯電話に内蔵される送受信端を経由してネットワークを介して前記クラウド装置に内蔵される送受信端に連結し、使用者が前記携帯電話に内蔵される出力入力端を経由して前記カードを編集する所要のレイアウト編集指令を下すと共に、関連する印刷指令を下し、前記携帯電話の送受信端を経由して前記ネットワークを介して前記クラウド装置の送受信端に連結して、前記クラウド装置に位置する前記レイアウト編集機に受信され、
前記レイアウト編集機は、前記携帯電話側アプリケーションプログラムからの前記レイアウト編集指令と前記印刷指令を前記クラウド装置の送受信端を経由して前記カードプリンタに伝送し、前記カードプリンタの前記送受信機がこれらの指令を受信した後に、前記指令を印刷の指令に変換翻訳するために、前記カードプリンタの前記トランスレータに伝送することを特徴とする、遠隔編集用のカード印刷システム。
【請求項５】
前記カードは、名刺、デビットカードまたは電子カードを含む特定のフォーマットを有するカードから選択されることを特徴とする、請求項４に記載のカード印刷システム。
【請求項６】
特定サイズのカードを印刷するためのカードプリンタと、携帯電話側アプリケーションプログラム形式で携帯電話内に取り付けられるレイアウト編集機とを備え、
前記カードプリンタは、上流の指令を印刷の指令に変換翻訳するためのトランスレータと、次の段階の装置と信号接続を行うための送受信機とを有し、
前記印刷の指令に基づいて前記カードプリンタ自身の印刷機構を用いて前記カード上に所要の図案または文字を印刷し、
前記携帯電話に内蔵される出力入力端を経由して前記レイアウト編集機を操作し、前記レイアウト編集機により、使用者が前記携帯電話の出力入力端を経由して前記カードに印刷する所要のレイアウトを編集することができるようにさせ、レイアウト編集指令を生成すると共に、関連する印刷指令を下し、
これらの前記レイアウト編集指令と前記印刷指令を前記携帯電話既有の送受信端を経由して前記カードプリンタに伝送し、そして前記カードプリンタの前記送受信機がこれらの指令を受信した後に、次に前記指令を印刷の指令に変換翻訳するために、前記カードプリンタの前記トランスレータに伝送することにより、前記カード上に所要の図案または文字を印刷し、また前記印刷指令に基づいて所要の枚数分を印刷することを特徴とする、遠隔編集用のカード印刷システム。
【請求項７】
前記カードは、名刺、デビットカードまたは電子カードを含む特定のフォーマットを有するカードから選択されることを特徴とする、請求項６に記載のカード印刷システム。
【考案の詳細な説明】
【技術分野】
【０００１】
本考案は、カード印刷システム、とりわけ遠隔編集用のカード印刷システムに関する。
【背景技術】
【０００２】
図１に示すように、従来のカード印刷システムにおけるカードプリンタ１０’は、主に特定サイズのカードを印刷するプリンタである。そのうち、前記カードは、名刺、デビットカードや電子カードなどの特定のフォーマットを有するカードのようなものである。
前記カードプリンタ１０’は、上流の指令を印刷の指令に変換翻訳することができるトランスレータ１１’を有し、印刷の指令に基づいて前記カードプリンタ１０’自身の印刷機構１３’を用いてカード上に所要の図案または文字などを印刷する。前記カードプリンタ１０’は、さらに次の段階の電子情報装置１００’と信号接続を行うことができる送受信機１２’とを有する。そのうち、前記電子情報装置１００’は、コンピュータやノートパソコンなどのようなものである。
また、前記電子情報装置１００’内にレイアウト編集機２０’が載置される。使用者は、前記電子情報装置１００’に内蔵される出力入力端１０２’を経由して前記レイアウト編集機２０’を操作する。前記レイアウト編集機２０’により、使用者が前記電子情報装置１００’の出力入力端１０２’を経由してカードに印刷する所要のレイアウトを編集することができるようになる。これにより、使用者はレイアウト編集指令を生成すると共に、関連する印刷指令を下す。
【０００３】
これらのレイアウト編集指令と印刷指令は前記電子情報装置１００’既有の送受信端１０１’を経由して前記カードプリンタ１０’に伝送される。そして前記カードプリンタ１０’の送受信機１２’がこれらの指令を受信した後に、前記指令を印刷の指令に変換翻訳するために、前記カードプリンタ１０’のトランスレータ１１’に伝送することにより、カード上に所要の図案または文字などを印刷し、また印刷指令に基づいて所要の枚数分を印刷することもできる。
【考案の概要】
【考案が解決しようとする課題】
【０００４】
上記の従来技術の構造によれば、使用者が固定位置を持つデスクトップ型コンピュータ箇所に操作を行うか、あるいはノートパソコンを携帯する必要がある。
【０００５】
一方、現在、携帯電話は、既に一人一台の所有となっており、それに携帯電話側アプリケーションプログラム（以下ＡＰＰと表記）を介して既に相当膨大な機能が完備された。本願の考案者は、ＡＰＰの機能を利用し、携帯電話を経由して、上記の従来技術における問題を解決するという目標の達成を企図した。この目的のために、本願は、斬新な遠隔編集用カード印刷システムを提案する。
【課題を解決するための手段】
【０００６】
本考案は、上記の従来技術における問題を解決することを目的とするもので、特定サイズのカードを印刷するためのカードプリンタと、電子情報装置またはクラウド装置内に取り付けられるレイアウト編集機と、携帯電話内に内蔵されるＡＰＰとを備え、前記カードプリンタは、上流の指令を印刷の指令に変換翻訳するためのトランスレータと、次の段階の前記電子情報装置またはクラウド装置と信号接続を行うための送受信機とを有し、印刷の指令に基づいて前記カードプリンタ自身の印刷機構を用いてカード上に所要の図案または文字を印刷し、前記レイアウト編集機により、使用者がカードに印刷する所要のレイアウトを編集することができるようにさせ、レイアウト編集指令を生成すると共に、関連する印刷指令を下し、前記携帯電話の所有者にダウンロードされ、携帯電話に内蔵される前記ＡＰＰは、前記携帯電話に内蔵される送受信端を経由してネットワークを介して前記電子情報装置またはクラウド装置に内蔵される送受信端に連結するためのもので、使用者が前記携帯電話に内蔵される出力入力端を経由してカードを編集する所要のレイアウト編集指令を下すと共に、関連する印刷指令を下し、前記携帯電話の送受信端を経由してネットワークを介して前記電子情報装置またはクラウド装置の送受信端に連結して、前記電子情報装置またはクラウド装置に位置する前記レイアウト編集機に受信され、前記レイアウト編集機は、前記ＡＰＰからのレイアウト編集指令と印刷指令を前記電子情報装置またはクラウド装置の送受信端を経由して前記カードプリンタに伝送し、前記カードプリンタの前記送受信機がこれらの指令を受信した後に、前記指令を印刷の指令に変換翻訳するために、前記カードプリンタの前記トランスレータに伝送する。
【考案の効果】
【０００７】
本考案が提供する遠隔編集用カード印刷システムは、本来、電子情報装置によって編集されるレイアウト編集指令と印刷指令を、逆に携帯電話側から前記ＡＰＰを介して編集を行い、その後、再びこれらの指令をカードプリンタに転送して印刷を行う。これにより、使用者は、携帯電話を遠隔端末として応用することで、随時編集を行うことが可能となるに加え、デスクトップ型コンピュータの設置位置での使用限定される必要がなく、あるいは体積膨大なノートパソコンを携帯する必要がなくなる。携帯電話は、軽薄短小化が図られて無線伝送の機能を持つので、使用者は、いつでも、どこでも編集作業を行うことができる。本願は、携帯電話を除く任意の電子情報装置を要さずに、これらのレイアウト編集指令と印刷指令を携帯電話から直接にカードプリンタに転送して印刷を行うこともできる。
【図面の簡単な説明】
【０００８】
【図１】従来技術のカード印刷システムを示すブロック図である。
【図２】本願の第１実施例の部品組合せ構造を示すブロック図である。
【図３】本願の第１実施例の部品組合せ構造を示すブロック図の別の説明図である。
【図４】本願の第２実施例の部品組合せ構造を示すブロック図である。
【考案を実施するための形態】
【０００９】
本願の構造構成、及びそれが達成できる作用効果と利点について、添付図面を参照しながら、本考案の好ましい実施例を挙げて以下に詳述する。
【００１０】
（第１実施例）
図２〜図３に示す本考案の遠隔編集用カード印刷システムの第１実施例を参照する。それは、カードプリンタ１０、レイアウト編集機２０及びＡＰＰ３０などの部品を備える。
【００１１】
カードプリンタ１０は、図２に示すように、主に特定サイズのカードを印刷するためのプリンタである。そのうち、前記カードは、名刺、デビットカードや電子カードなどの特定のフォーマットを有するカード類である。
前記カードプリンタ１０は、上流の指令を印刷の指令に変換翻訳することができるトランスレータ１１と、次の段階の電子情報装置１００（図２参照）またはクラウド装置１５０（図３参照）と信号接続を行うための送受信機１２とを有し、印刷の指令に基づいて前記カードプリンタ１０自身の印刷機構１３を用いてカード上に所要の図案または文字などを印刷する。そのうち、前記電子情報装置１００は、コンピュータやノートパソコンなどである。
【００１２】
レイアウト編集機２０は、前記電子情報装置１００または前記クラウド装置１５０内に取り付けられる。そのうち、レイアウト編集機２０が前記電子情報装置１００に取り付けられる場合には、使用者は前記電子情報装置１００に内蔵される出力入力端１０２を経由して前記レイアウト編集機２０を操作する。前記レイアウト編集機２０により、使用者が前記電子情報装置１００の出力入力端１０２を経由してカードに印刷する所要のレイアウトを編集することができるようになり、これにより、使用者はレイアウト編集指令を生成すると共に、関連する印刷指令を下す。前記レイアウト編集機２０が前記クラウド装置１５０に取り付けられる場合では、前記レイアウト編集機２０を操作するために、使用者は別設の装置を経由して前記クラウド装置１５０に連結する必要がある。
【００１３】
これらのレイアウト編集指令と印刷指令は前記電子情報装置１００または前記クラウド装置１５０既有の送受信端１０１を経由して前記カードプリンタ１０に伝送される。前記カードプリンタ１０の前記送受信機１２がこれらの指令を受信した後に、前記指令を印刷の指令に変換翻訳するために、前記カードプリンタ１０の前記トランスレータ１１に伝送することにより、カード上に所要の図案または文字などを印刷し、また印刷指令に基づいて所要の枚数分を印刷することもできる。
【００１４】
ＡＰＰ３０は、携帯電話２００内に内蔵された状態で用いられる。前記ＡＰＰ３０は、前記携帯電話２００の所有者に携帯電話にダウンロードされ、内蔵される。前記ＡＰＰ３０は、指令を前記携帯電話２００に内蔵される送受信端２０１を経由してネットワークを介して前記電子情報装置１００または前記クラウド装置１５０に内蔵される送受信端１０１に連結することができるものである。そのうち、前記ネットワークとしては、例えばＷｉＦｉネットワーク、３Ｇネットワーク、４Ｇネットワーク、５Ｇネットワーク、ブルートゥース（登録商標）ネットワークやＮＦＣネットワークなどが挙げられ、携帯電話２００と前記電子情報装置１００または前記クラウド装置１５０と伝送を行う任意のネットワークであればよい。
【００１５】
前記ＡＰＰ３０の機能としては、使用者が前記携帯電話２００に内蔵される出力入力端２０２を経由してカードを編集し、所要のレイアウト編集指令を下すと共に、関連する印刷指令を下す。そしてこれらの指令は前記携帯電話２００の送受信端２０１を経由し、ネットワークを介して前記電子情報装置１００または前記クラウド装置１５０の送受信端１０１に連結して、前記電子情報装置１００または前記クラウド装置１５０に位置する前記レイアウト編集機２０に受信される。
【００１６】
それから前記レイアウト編集機２０は、前記ＡＰＰ３０からのレイアウト編集指令と印刷指令を前記電子情報装置１００または前記クラウド装置１５０の送受信端１０１を経由して前記カードプリンタ１０に伝送する。そして前記指令を印刷の指令に変換翻訳するために、前記カードプリンタ１０の前記トランスレータ１１に伝送することにより、カード上に所要の図案または文字などを印刷し、かつ印刷指令に基づいて所要の枚数分を印刷する。
【００１７】
（第２実施例）
図４は、本考案の第２実施例を示す。この実施例において、カードプリンタ１０の機能は、上記の実施例と同様であるため、その詳細な説明を省略し、本例において、その第１実施例との相違点のみを説明する。本考案のシステムは、以下の技術的特徴を含んで構成される。
【００１８】
レイアウト編集機２０は、ＡＰＰ形式で携帯電話２００内に取り付けられ、使用者は前記携帯電話２００に内蔵される出力入力端２０２を経由して前記レイアウト編集機２０を操作する。前記レイアウト編集機２０により、使用者が前記携帯電話２００の出力入力端２０２を経由してカードに印刷する所要のレイアウトを編集することができるようになり、これにより使用者はレイアウト編集指令を生成すると共に、関連する印刷指令を下す。
【００１９】
これらのレイアウト編集指令と印刷指令は前記携帯電話２００既有の送受信端２０１を経由して前記カードプリンタ１０に伝送される。そして前記カードプリンタ１０の前記送受信機１２がこれらの指令を受信した後に、前記指令を印刷の指令に変換翻訳するために、前記カードプリンタ１０の前記トランスレータ１１に伝送することにより、カード上に所要の図案または文字などを印刷し、または印刷指令に基づいて所要の枚数分を印刷することもできる。
【００２０】
（産業上の利用可能性）
以上、本願は、本来、主に電子情報装置１００によって編集されるレイアウト編集指令と印刷指令を、逆に携帯電話側から前記ＡＰＰ３０を介して編集を行い、その後、任意の電子情報装置１００を要さずに、再びこれらの指令を直接カードプリンタ１０に転送して印刷を行う。これにより、使用者は、携帯電話２００を遠隔端末として応用することができ、随時編集を行うことが可能となり、デスクトップ型コンピュータの設置位置での使用限定される必要がなく、あるいは体積膨大なノートパソコンを携帯する必要がなくなる。
【００２１】
上記の詳細な説明は、本考案の実施可能な実施例を具体的に説明したものであるが、本考案の権利範囲はこれらの実施例に限定されるものではなく、本考案の技術的精神を逸脱しない限り、その等効果実施または変更は、なお本願の実用新案登録請求の範囲内に含まれる。
【符号の説明】
【００２２】
１０’    カードプリンタ
１１’    トランスレータ
１２’    送受信機
１３’    印刷機構
１００’  電子情報装置
１０１’  送受信端
１０２’  出力入力端
２０’    レイアウト編集機
１０      カードプリンタ
１１      トランスレータ
１２      送受信機
１３      印刷機構
１００    電子情報装置
１０１    送受信端
１０２    出力入力端
１５０    クラウド装置
２０      レイアウト編集機
２００    携帯電話
２０１    送受信端
２０２    出力入力端
３０      携帯電話側アプリケーションプログラム（ＡＰＰ）
【図１】
0003218356.tif 000003
【図２】
0003218356.tif 000004
【図３】
0003218356.tif 000005
【図４】
0003218356.tif 000006
【手続補正書】
【提出日】平成30年8月3日(2018.8.3)
【手続補正１】
【補正対象書類名】実用新案登録請求の範囲
【補正対象項目名】請求項１
【補正方法】変更
【補正の内容】
【請求項１】
特定サイズのカードを印刷するためのカードプリンタと、電子情報装置内に取り付けられるレイアウト編集機と、携帯電話内に内蔵される携帯電話側アプリケーション装置とを備え、  前記カードプリンタは、上流の指令を印刷の指令に変換翻訳するためのトランスレータと、次の段階の前記電子情報装置と信号接続を行うための送受信機とを有し、  前記印刷の指令に基づいて前記カードプリンタ自身の印刷機構を用いて前記カード上に所要の図案または文字を印刷し、  前記レイアウト編集機により、使用者が前記カードに印刷する所要のレイアウトを編集することができるようにさせ、レイアウト編集指令を生成すると共に、関連する印刷指令を下し、  前記携帯電話に内蔵される前記携帯電話側アプリケーション装置は、前記携帯電話に内蔵される送受信端を経由してネットワークを介して前記電子情報装置に内蔵される送受信端に連結し、使用者が前記携帯電話に内蔵される出力入力端を経由して前記カードを編集する所要のレイアウト編集指令を下すと共に、関連する印刷指令を下し、そして前記携帯電話の送受信端を経由して前記ネットワークを介して前記電子情報装置の送受信端に連結して、前記電子情報装置に位置する前記レイアウト編集機に受信され、  前記レイアウト編集機は、前記携帯電話側アプリケーション装置からの前記レイアウト編集指令と前記印刷指令を前記電子情報装置の送受信端を経由して前記カードプリンタに伝送し、前記カードプリンタの前記送受信機がこれらの指令を受信した後に、前記指令を印刷の指令に変換翻訳するために、前記カードプリンタの前記トランスレータに伝送することを特徴とする、遠隔編集用のカード印刷システム。
【手続補正２】
【補正対象書類名】実用新案登録請求の範囲
【補正対象項目名】請求項４
【補正方法】変更
【補正の内容】
【請求項４】
特定サイズのカードを印刷するためのカードプリンタと、クラウド装置内に取り付けられるレイアウト編集機と、携帯電話内に内蔵される携帯電話側アプリケーション装置とを備え、  前記カードプリンタは、上流の指令を印刷の指令に変換翻訳するためのトランスレータと、次の段階の前記クラウド装置と信号接続を行うための送受信機とを有し、  前記印刷の指令に基づいて前記カードプリンタ自身の印刷機構を用いて前記カード上に所要の図案または文字を印刷し、  前記レイアウト編集機により、使用者が前記カードに印刷する所要のレイアウトを編集することができるようにさせ、レイアウト編集指令を生成すると共に、関連する印刷指令を下し、  携帯電話に内蔵される前記携帯電話側アプリケーション装置は、前記携帯電話に内蔵される送受信端を経由してネットワークを介して前記クラウド装置に内蔵される送受信端に連結し、使用者が前記携帯電話に内蔵される出力入力端を経由して前記カードを編集する所要のレイアウト編集指令を下すと共に、関連する印刷指令を下し、前記携帯電話の送受信端を経由して前記ネットワークを介して前記クラウド装置の送受信端に連結して、前記クラウド装置に位置する前記レイアウト編集機に受信され、  前記レイアウト編集機は、前記携帯電話側アプリケーション装置からの前記レイアウト編集指令と前記印刷指令を前記クラウド装置の送受信端を経由して前記カードプリンタに伝送し、前記カードプリンタの前記送受信機がこれらの指令を受信した後に、前記指令を印刷の指令に変換翻訳するために、前記カードプリンタの前記トランスレータに伝送することを特徴とする、遠隔編集用のカード印刷システム。
【手続補正３】
【補正対象書類名】実用新案登録請求の範囲
【補正対象項目名】請求項６
【補正方法】変更
【補正の内容】
【請求項６】
特定サイズのカードを印刷するためのカードプリンタと、携帯電話側アプリケーション装置形式で携帯電話内に取り付けられるレイアウト編集機とを備え、  前記カードプリンタは、上流の指令を印刷の指令に変換翻訳するためのトランスレータと、次の段階の装置と信号接続を行うための送受信機とを有し、  前記印刷の指令に基づいて前記カードプリンタ自身の印刷機構を用いて前記カード上に所要の図案または文字を印刷し、  前記携帯電話に内蔵される出力入力端を経由して前記レイアウト編集機を操作し、前記レイアウト編集機により、使用者が前記携帯電話の出力入力端を経由して前記カードに印刷する所要のレイアウトを編集することができるようにさせ、レイアウト編集指令を生成すると共に、関連する印刷指令を下し、  これらの前記レイアウト編集指令と前記印刷指令を前記携帯電話既有の送受信端を経由して前記カードプリンタに伝送し、そして前記カードプリンタの前記送受信機がこれらの指令を受信した後に、次に前記指令を印刷の指令に変換翻訳するために、前記カードプリンタの前記トランスレータに伝送することにより、前記カード上に所要の図案または文字を印刷し、また前記印刷指令に基づいて所要の枚数分を印刷することを特徴とする、遠隔編集用のカード印刷システム。
【手続補正４】
【補正対象書類名】明細書
【補正対象項目名】０００５
【補正方法】変更
【補正の内容】
【０００５】  一方、現在、携帯電話は、既に一人一台の所有となっており、それに携帯電話側アプリケーション装置を介して既に相当膨大な機能が完備された。本願の考案者は、携帯電話側アプリケーション装置の機能を利用し、携帯電話を経由して、上記の従来技術における問題を解決するという目標の達成を企図した。この目的のために、本願は、斬新な遠隔編集用カード印刷システムを提案する。
【手続補正５】
【補正対象書類名】明細書
【補正対象項目名】０００６
【補正方法】変更
【補正の内容】
【０００６】  本考案は、上記の従来技術における問題を解決することを目的とするもので、特定サイズのカードを印刷するためのカードプリンタと、電子情報装置またはクラウド装置内に取り付けられるレイアウト編集機と、携帯電話内に内蔵される携帯電話側アプリケーション装置とを備え、前記カードプリンタは、上流の指令を印刷の指令に変換翻訳するためのトランスレータと、次の段階の前記電子情報装置またはクラウド装置と信号接続を行うための送受信機とを有し、印刷の指令に基づいて前記カードプリンタ自身の印刷機構を用いてカード上に所要の図案または文字を印刷し、前記レイアウト編集機により、使用者がカードに印刷する所要のレイアウトを編集することができるようにさせ、レイアウト編集指令を生成すると共に、関連する印刷指令を下し、前記携帯電話の所有者にダウンロードされるプログラムで動作するものであり、携帯電話に内蔵される前記携帯電話側アプリケーション装置は、前記携帯電話に内蔵される送受信端を経由してネットワークを介して前記電子情報装置またはクラウド装置に内蔵される送受信端に連結するためのもので、使用者が前記携帯電話に内蔵される出力入力端を経由してカードを編集する所要のレイアウト編集指令を下すと共に、関連する印刷指令を下し、前記携帯電話の送受信端を経由してネットワークを介して前記電子情報装置またはクラウド装置の送受信端に連結して、前記電子情報装置またはクラウド装置に位置する前記レイアウト編集機に受信され、前記レイアウト編集機は、前記携帯電話側アプリケーション装置からのレイアウト編集指令と印刷指令を前記電子情報装置またはクラウド装置の送受信端を経由して前記カードプリンタに伝送し、前記カードプリンタの前記送受信機がこれらの指令を受信した後に、前記指令を印刷の指令に変換翻訳するために、前記カードプリンタの前記トランスレータに伝送する。
【手続補正６】
【補正対象書類名】明細書
【補正対象項目名】０００７
【補正方法】変更
【補正の内容】
【０００７】  本考案が提供する遠隔編集用カード印刷システムは、本来、電子情報装置によって編集されるレイアウト編集指令と印刷指令を、逆に携帯電話側から前記携帯電話側アプリケーション装置を介して編集を行い、その後、再びこれらの指令をカードプリンタに転送して印刷を行う。これにより、使用者は、携帯電話を遠隔端末として応用することで、随時編集を行うことが可能となるに加え、デスクトップ型コンピュータの設置位置での使用限定される必要がなく、あるいは体積膨大なノートパソコンを携帯する必要がなくなる。携帯電話は、軽薄短小化が図られて無線伝送の機能を持つので、使用者は、いつでも、どこでも編集作業を行うことができる。本願は、携帯電話を除く任意の電子情報装置を要さずに、これらのレイアウト編集指令と印刷指令を携帯電話から直接にカードプリンタに転送して印刷を行うこともできる。
【手続補正７】
【補正対象書類名】明細書
【補正対象項目名】００１０
【補正方法】変更
【補正の内容】
【００１０】  （第１実施例）  図２〜図３に示す本考案の遠隔編集用カード印刷システムの第１実施例を参照する。それは、カードプリンタ１０、レイアウト編集機２０及び携帯電話側アプリケーション装置（以下、ＡＰＰとする）３０などの部品を備える。
【手続補正８】
【補正対象書類名】明細書
【補正対象項目名】００１４
【補正方法】変更
【補正の内容】
【００１４】  ＡＰＰ３０は、携帯電話２００内に内蔵された状態で用いられる。前記ＡＰＰ３０は、前記携帯電話２００の所有者に携帯電話にダウンロードされるプログラムで動作するものであり、内蔵される。前記ＡＰＰ３０は、指令を前記携帯電話２００に内蔵される送受信端２０１を経由してネットワークを介して前記電子情報装置１００または前記クラウド装置１５０に内蔵される送受信端１０１に連結することができるものである。そのうち、前記ネットワークとしては、例えばＷｉＦｉネットワーク、３Ｇネットワーク、４Ｇネットワーク、５Ｇネットワーク、ブルートゥース（登録商標）ネットワークやＮＦＣネットワークなどが挙げられ、携帯電話２００と前記電子情報装置１００または前記クラウド装置１５０と伝送を行う任意のネットワークであればよい。
【手続補正９】
【補正対象書類名】明細書
【補正対象項目名】００２２
【補正方法】変更
【補正の内容】
【００２２】  １０’    カードプリンタ  １１’    トランスレータ  １２’    送受信機  １３’    印刷機構  １００’  電子情報装置  １０１’  送受信端  １０２’  出力入力端  ２０’    レイアウト編集機  １０      カードプリンタ  １１      トランスレータ  １２      送受信機  １３      印刷機構  １００    電子情報装置  １０１    送受信端  １０２    出力入力端  １５０    クラウド装置  ２０      レイアウト編集機  ２００    携帯電話  ２０１    送受信端  ２０２    出力入力端  ３０      携帯電話側アプリケーション装置（ＡＰＰ）